(57)【要約】【課題】閲覧者に理解しやすい表示方法で、投稿情報と共に、投稿者の属性及び投稿者との位置関係を同じ画面上に表示させることを目的とする。【解決手段】本発明の一形態に係る投稿情報表示制御装置は、投稿情報の閲覧者に対して投稿情報の表示を制御する投稿情報表示制御装置であって、投稿情報の投稿者の属性に基づいて投稿情報の書式を決定する書式決定部と、投稿情報の閲覧者の位置と投稿情報の投稿者の位置との位置関係を決定する位置関係決定部と、前記書式決定部で決定された書式及び前記位置関係決定部で決定された位置関係に基づいて、投稿情報の表示を制御する表示制御部とを有する。【選択図】図１
2014154099.tif 000002
【特許請求の範囲】
【請求項１】
投稿情報の閲覧者に対して投稿情報の表示を制御する投稿情報表示制御装置であって、
投稿情報の投稿者の属性に基づいて投稿情報の書式を決定する書式決定部と、
投稿情報の閲覧者の位置と投稿情報の投稿者の位置との位置関係を決定する位置関係決定部と、
前記書式決定部で決定された書式及び前記位置関係決定部で決定された位置関係に基づいて、投稿情報の表示を制御する表示制御部と、
を有する投稿情報表示制御装置。
【請求項２】
前記位置関係決定部は、
投稿情報の閲覧者の位置から投稿情報の投稿者の位置への角度を決定する角度決定部と、
投稿情報の閲覧者の位置と投稿情報の投稿者の位置との間の距離を決定する距離決定部と、
を有し、
前記表示制御部は、前記角度決定部で決定された角度及び前記距離決定部で決定された距離を表す画像又は背景色を表示させる、請求項１に記載の投稿情報表示制御装置。
【請求項３】
前記書式決定部は、投稿情報の投稿者の性別又は年代に基づいて投稿情報の色又はフォントを決定し、
前記表示制御部は、前記書式決定部で決定された色又はフォントを使用して、投稿情報を表示させる、請求項１又は２に記載の投稿情報表示制御装置。
【請求項４】
前記書式決定部は、投稿情報の投稿者の属性に基づいて投稿情報の背景色を決定し、
前記表示制御部は、前記距離決定部で決定された距離に基づいて、背景色をぼかす範囲を決定し、前記角度決定部で決定された角度に基づいて、背景色をぼかす方向を決定し、決定した範囲及び方向にぼかした背景色を表示させる、請求項２に記載の投稿情報表示制御装置。
【請求項５】
前記表示制御部は、投稿情報の投稿者の属性又は位置が決定できない場合、決定できない属性に関する書式又は決定できない位置に関する画像若しくは背景色の表示を省略する、請求項１乃至４のうちいずれか１項に記載の投稿情報表示制御装置。
【請求項６】
投稿情報の閲覧者に対して投稿情報の表示を制御する投稿情報表示制御装置における投稿情報表示制御方法であって、
投稿情報の投稿者の属性に基づいて投稿情報の書式を決定するステップと、
投稿情報の閲覧者の位置と投稿情報の投稿者の位置との位置関係を決定するステップと、
前記書式決定部で決定された書式及び前記位置関係決定部で決定された位置関係に基づいて、投稿情報の表示を制御するステップと、
を有する投稿情報表示制御方法。
【発明の詳細な説明】
【技術分野】
【０００１】
本発明は、投稿情報表示制御装置及び投稿情報表示制御方法に関する。
【背景技術】
【０００２】
近年Twitter（登録商標）、facebook（登録商標）等のような、投稿者が自由に文章や画像を投稿・閲覧できるサービスが普及してきた。例えば、Twitterの月間アクティブユーザ数は２億人を突破（2012年12月）し、facebookアカウント数（日本のみ）は1000万人を超えている（2011年11月）。このような投稿者が自由に文章や画像を投稿できるサービスにおいて、投稿された文章と共に表示される主な情報は、投稿した文章や画像、ユーザ名（アカウント名）、アイコン、投稿日時、そのサービスに特化したボタン（お気に入りに登録するボタン、投稿情報が良かったことを伝えるためのボタン）等である（非特許文献１及び２参照）。
【先行技術文献】
【非特許文献】
【０００３】
【非特許文献１】facebook（http://www.facebook.com）
【非特許文献２】Twitter（http://www.twitter.com）
【発明の概要】
【発明が解決しようとする課題】
【０００４】
現在の投稿情報の表示画面では、投稿した文章が時系列的に表示されるが、Twitter、facebook等の表示画面からは、投稿者の属性（性別、年代等）及び投稿者の位置（所在地）は把握できない。
【０００５】
一方、このような多様な情報を表示する場合、全て文字で表示しようとすると、表示しなければならない文字数が多くなり、特にスマートフォン等のような小さなディスプレイにおいては、限られた表示範囲に収まらない可能性がある。また、一度に多くの情報がディスプレイに表示された場合、閲覧者が情報を把握することが困難になる。更に、全て文字で表示された場合、どの情報が重要なのかを閲覧者が把握することが困難になる。
【０００６】
本発明は、閲覧者に理解しやすい表示方法で、投稿情報と共に、投稿者の属性及び投稿者との位置関係を同じ画面上に表示させることを目的とする。
【課題を解決するための手段】
【０００７】
本発明の一形態に係る投稿情報表示制御装置は、
投稿情報の閲覧者に対して投稿情報の表示を制御する投稿情報表示制御装置であって、
投稿情報の投稿者の属性に基づいて投稿情報の書式を決定する書式決定部と、
投稿情報の閲覧者の位置と投稿情報の投稿者の位置との位置関係を決定する位置関係決定部と、
前記書式決定部で決定された書式及び前記位置関係決定部で決定された位置関係に基づいて、投稿情報の表示を制御する表示制御部と、
を有する。
【０００８】
本発明の一形態に係る投稿情報表示制御方法は、
投稿情報の閲覧者に対して投稿情報の表示を制御する投稿情報表示制御装置における投稿情報表示制御方法であって、
投稿情報の投稿者の属性に基づいて投稿情報の書式を決定するステップと、
投稿情報の閲覧者の位置と投稿情報の投稿者の位置との位置関係を決定するステップと、
前記書式決定部で決定された書式及び前記位置関係決定部で決定された位置関係に基づいて、投稿情報の表示を制御するステップと、
を有する。
【発明の効果】
【０００９】
本発明によれば、閲覧者に理解しやすい表示方法で、投稿情報と共に、投稿者の属性及び投稿者との位置関係を同じ画面上に表示させることが可能になる。
【図面の簡単な説明】
【００１０】
【図１】本発明の実施例に係る投稿情報表示制御装置の構成図
【図２】投稿情報データベースの例
【図３】ユーザ属性データベースの例
【図４】本発明の実施例に従って表示される投稿情報の例（その１）
【図５】本発明の実施例に係る投稿情報表示制御方法のフローチャート（その１）
【図６】本発明の実施例に従って表示される投稿情報の例（その２）
【図７】本発明の実施例に係る投稿情報表示制御方法のフローチャート（その２）
【図８】色決定部において決定される色の例
【図９】角度決定部において決定される角度の例
【図１０】本発明の実施例に従って表示される投稿情報の例（その３）
【発明を実施するための形態】
【００１１】
以下、本発明の実施例について、図面を参照して説明する。
【００１２】
本発明の実施例では、携帯電話端末、パーソナルコンピュータ等のような投稿情報を閲覧するための閲覧端末に、投稿情報と共に、投稿者の属性（性別、年代）及び投稿者との位置関係（投稿者の所在地までの距離、角度）を表示させる投稿情報表示制御装置について説明する。
【００１３】
投稿情報表示制御装置は、投稿情報の投稿者の属性（性別、年代）に基づいて投稿情報の書式（色、フォント）を決定する。更に、投稿情報の投稿者の位置と投稿情報の閲覧者の位置と位置関係（角度、距離）を決定する。そして、決定された書式及び位置関係に基づいて、投稿情報と共に表示させる画像又は背景色を閲覧端末に送信する。
【００１４】
投稿情報表示制御装置の構成及び動作について以下に詳細に説明する。
【００１５】
＜投稿情報表示制御装置の構成＞
図１に、本発明の実施例に係る投稿情報表示制御装置の構成図を示す。投稿情報表示制御装置は、色決定部１０１と、フォント決定部１０３と、角度決定部１０５と、距離決定部１０７と、表示制御部１０９と、投稿情報データベース２０１と、ユーザ属性データベース２０３と、位置情報データベース２０５とを有する。
【００１６】
投稿情報データベース２０１は、投稿者の投稿情報を格納する。図２に、投稿情報データベース２０１の例を示す。投稿情報には、ユーザアカウント、投稿内容、投稿日、投稿時間が含まれる。また、投稿情報には、投稿位置（緯度経度）が含まれてもよい。
【００１７】
ユーザ属性データベース２０３は、投稿者の属性を格納する。図３に、ユーザ属性データベース２０３の例を示す。投稿者の属性には、ユーザアカウント、性別、年代、位置（都道府県）が含まれる。
【００１８】
位置情報データベース２０５は、位置（緯度経度）と都道府県との対応関係を格納する。例えば、位置情報データベース２０５は、各都道府県の県庁所在地の緯度経度の対応表と、２つの異なる都道府県間の距離及び角度の対応表とを保持している。なお、以下の説明では、投稿情報の閲覧者の位置と投稿情報の投稿者の位置との位置関係を決定する際に、都道府県を用いた実施例について説明するが、本発明の実施例は、位置関係を決定する際に、市町村又は任意に決められたエリアを用いる場合にも適用可能である。この場合、位置情報データベース２０５は、位置（緯度経度）と、市町村又は任意に決められたエリアとの対応関係を格納してもよい。また、本発明の実施例は、位置関係を決定する際に、緯度経度を用いる場合にも適用可能である。緯度経度自体を用いる場合には、位置情報データベース２０５は存在しなくてもよい。
【００１９】
色決定部１０１及びフォント決定部１０３は、投稿情報の投稿者の属性に基づいて投稿情報の書式を決定する。特に、色決定部１０１は、投稿情報の投稿者の性別に基づいて投稿情報の色（色合い、鮮やかさ）を決定する。投稿者の年代を色の明るさで表現する場合、色決定部１０１は、投稿情報の投稿者の年代に基づいて投稿情報の色の明るさを決定する。投稿者の年代をフォントで表現する場合、フォント決定部１０３は、投稿情報の投稿者の年代に基づいて投稿情報のフォントを決定する。
【００２０】
角度決定部１０５及び距離決定部１０７は、投稿情報の閲覧者の位置と投稿情報の投稿者の位置との位置関係を決定する。特に、角度決定部１０５は、投稿情報の閲覧者の位置から投稿情報の投稿者の位置への角度を決定する。また、距離決定部１０７は、投稿情報の閲覧者の位置と投稿情報の投稿者の位置との間の距離を決定する。
【００２１】
表示制御部１０９は、決定された書式及び位置関係に基づいて、投稿情報の表示を制御する。以下、３つの表示例について説明する。
【００２２】
（その１）投稿者の性別を文字の色で表現し、投稿者の年代をフォントで表現し、投稿者との位置関係を矢印の太さ及び向きで表現する。
【００２３】
（その２）投稿者の性別及び年代を背景色で表現し、投稿者との位置関係を背景色のぼかし範囲及び方向で表現する。
【００２４】
（その３）投稿者の性別、年代及び位置のうち取得できないものがある場合、取得できない情報の表示を省略する。
【００２５】
＜投稿情報表示制御装置の動作（その１）＞
投稿者の性別を文字の色で表現し、投稿者の年代をフォントで表現し、投稿者との位置関係を矢印の太さ及び向きで表現する場合について説明する。
【００２６】
図４に、本発明の実施例に従って表示される投稿情報の例（その１）を示す。図４は、東京の閲覧者が投稿者の文章を閲覧している場合の表示を示している。女性による投稿は赤の文字で表示され、男性による投稿は青の文字で表示される。また、年代を連想させるために、年代によってフォントを変える。更に、投稿者の位置と閲覧者の位置との位置関係は、矢印のような方向を示すことができる画像とその形状で表現される。ここでは、位置関係を矢印の向き及び太さで表現している。
【００２７】
図５に、本発明の実施例に係る投稿情報表示制御方法のフローチャート（その１）を示す。
【００２８】
ステップＳ１０１において、色決定部１０１は、ユーザ属性データベース２０３を参照し、投稿情報の投稿者の性別を取得する。次に、ステップＳ１０３において、色決定部１０１は、性別に基づいて色を決定する。例えば、性別が「男性」の場合は青、性別が「女性」の場合は赤と決定する。
【００２９】
ステップＳ１０５において、フォント決定部１０３は、ユーザ属性データベース２０３を参照し、投稿情報の投稿者の年代を取得する。次に、ステップＳ１０７において、フォント決定部１０３は、年代に基づいてフォントを決定する。例えば、年代が２０代の場合はポップ体、５０代の場合は教科書体、６０代の場合は行書体とする。
【００３０】
ステップＳ１０９において、角度決定部１０５及び距離決定部１０７は、ユーザ属性データベース２０３を参照し、投稿情報の投稿者の都道府県を取得する。なお、投稿情報データベース２０１に投稿位置が含まれる場合、投稿情報の投稿者の都道府県は、位置情報データベース２０５を参照することで、投稿情報に付与された投稿位置と最も近い緯度経度を持つ都道府県を、投稿者の都道府県と決定してもよい。次に、ステップＳ１１１において、角度決定部１０５及び距離決定部１０７は、閲覧端末の位置（緯度経度）を取得し、位置情報データベース２０５を参照し、閲覧端末の緯度経度と最も近い緯度経度を持つ都道府県を、閲覧者の都道府県と決定する。
【００３１】
なお、位置情報データベース２０５に更に詳細な都道府県の位置情報を格納することにより、角度決定部１０５及び距離決定部１０７は、閲覧端末の緯度経度が存在する都道府県又は投稿位置の緯度経度が存在する都道府県を決定することができる。
【００３２】
ステップＳ１１３において、角度決定部１０５は、位置情報データベース２０５を参照し、投稿情報の投稿者の都道府県と、閲覧端末の都道府県に対応する角度を取得し、角度を決定する。この角度は、閲覧端末の都道府県から投稿者の都道府県への向きを示す。角度決定部１０５は、この角度に応じて、方向を指し示すことができる画像（例えば、矢印）の向きを決定する。なお、都道府県の代わりに市町村又は任意に決められたエリアを用いる場合にも、角度決定部１０５は、同様にして角度を決定することができる。更に、都道府県の代わりに緯度経度自体を用いる場合には、角度決定部１０５は、閲覧端末の緯度経度から投稿者の緯度経度への向きを決定することができる。
【００３３】
また、距離決定部１０７は、位置情報データベース２０５を参照し、投稿情報の投稿者の都道府県と、閲覧端末の都道府県との間の距離を取得する。なお、距離決定部１０７は、投稿位置（投稿者の緯度経度又は投稿情報に付与された緯度経度）と閲覧端末の位置との間の距離を取得してもよい。距離決定部１０７は、この距離に応じて、方向を指し示すことができる画像（例えば、矢印）の太さを決定する。距離が遠いほど、矢印の太さを太くしてもよい。あるいは、距離決定部１０７は、この距離に応じて、方向を指し示すことができる画像（例えば、矢印）の長さを決定する。距離が遠いほど、矢印の長さを長くしてもよい。なお、都道府県の代わりに市町村又は任意に決められたエリアを用いる場合にも、距離決定部１０７は、同様にして距離を決定することができる。更に、都道府県の代わりに緯度経度自体を用いる場合には、距離決定部１０７は、投稿者の緯度経度と閲覧端末との間の距離を決定することができる。
【００３４】
ステップＳ１１５において、表示制御部１０９は、決定された色及びフォントに基づいて、投稿情報を閲覧端末に表示させる。例えば、表示制御部１０９は、投稿情報の文章と共に、文字の色及びフォントを示す情報を閲覧端末に送信する。
【００３５】
ステップＳ１１７において、表示制御部１０９は、決定された角度及び距離に基づいて決定された方向を指し示すことができる画像を閲覧端末に表示させる。例えば、表示制御部１０９は、矢印のような方向を指し示すことができる画像を閲覧端末に送信する。
【００３６】
＜投稿情報表示制御装置の動作（その２）＞
投稿者の性別及び年代を背景色で表現し、投稿者との位置関係を背景色のぼかし範囲及び方向で表現する場合について説明する。
【００３７】
図６に、本発明の実施例に従って表示される投稿情報の例（その２）を示す。図６は、東京の閲覧者が投稿者の文章を閲覧している場合の表示を示している。女性による投稿は赤の背景色で表示され、男性による投稿は青の背景色で表示される。また、年代を連想させるために、年代によって背景色の明るさを変える。更に、投稿者の位置と閲覧者の位置は、背景色のぼかし範囲及び方向で表現される。
【００３８】
図７に、本発明の実施例に係る投稿情報表示制御方法のフローチャート（その２）を示す。
【００３９】
ステップＳ２０１において、色決定部１０１は、ユーザ属性データベース２０３を参照し、投稿情報の投稿者の性別を取得する。次に、ステップＳ２０３において、色決定部１０１は、ユーザ属性データベース２０３を参照し、投稿情報の投稿者の年代を取得する。そして、ステップＳ２０５において、色決定部１０１は、性別に基づいて背景色の色合い（Ｅ）及び鮮やかさ（Ｓ）を決定する。例えば、性別が「男性」の場合、色合い（Ｅ）は１４５、鮮やかさ（Ｓ）は２５５、性別が「女性」の場合、色合い（Ｅ）は２２５、鮮やかさ（Ｓ）は２３０と決定する。また、色決定部１０１は、年代に基づいて背景色の明るさ（Ｌ）を決定する。例えば、年代が２０代の場合、明るさ（Ｌ）は２２５、年代が６０代の場合、明るさ（Ｌ）は１００と決定する。明るさ（Ｌ）は数値が大きいほど明るく、小さいほど暗い。その結果、図８に示すように、例えば、２０代の男性の場合は水色、６０代の男性の場合は濃紺、２０代の女性の場合はピンク、６０代の女性の場合はえんじ色と決定される。
【００４０】
ステップＳ２０７において、角度決定部１０５及び距離決定部１０７は、ユーザ属性データベース２０３を参照し、投稿情報の投稿者の都道府県を取得する。なお、投稿情報データベース２０１に投稿位置が含まれる場合、投稿情報の投稿者の都道府県は、位置情報データベース２０５を参照することで、投稿情報に付与された投稿位置と最も近い緯度経度を持つ都道府県を、投稿者の都道府県と決定してもよい。次に、ステップＳ２０９において、角度決定部１０５及び距離決定部１０７は、閲覧端末の位置（緯度経度）を取得し、位置情報データベース２０５を参照し、閲覧端末の緯度経度と最も近い緯度経度を持つ都道府県を、閲覧者の都道府県と決定する。
【００４１】
ステップＳ２１１において、角度決定部１０５は、位置情報データベース２０５を参照し、投稿情報の投稿者の都道府県と、閲覧端末の都道府県に対応する角度を取得し、ぼかす角度を決定する。この角度は、閲覧端末の都道府県から投稿者の都道府県への向きを示す。ここでは、図９に示すように、閲覧端末の都道府県（東京）を中心として、投稿者の都道府県が0〜90°の範囲（ディスプレイ範囲１）に存在するか、91〜180°の範囲（ディスプレイ範囲２）に存在するか、181〜270°の範囲（ディスプレイ範囲３）に存在するか、271〜359°の範囲（ディスプレイ範囲４）に存在するかを求める。例えば、角度が0〜90°の場合、表示画面の左下端を始点とし、底辺を0°とし、角度方向に背景色をぼかす。角度が91〜180°の場合、表示画面の右下端を始点とし、右辺を90°とし、角度方向に背景色をぼかす。角度が181〜270°の場合、表示画面の右上端を始点とし、上辺を180°とし、角度方向に背景色をぼかす。角度が271〜359°の場合、表示画面の左上端を始点とし、左辺を270°とし、角度方向に背景色をぼかす。都道府県が同じ場合は、角度は「なし」とし、背景色をぼかさない。なお、都道府県の代わりに市町村又は任意に決められたエリアを用いる場合にも、角度決定部１０５は、同様にして角度を決定し、ぼかす角度を決定することができる。更に、都道府県の代わりに緯度経度自体を用いる場合には、角度決定部１０５は、閲覧端末の緯度経度から投稿者の緯度経度への角度を決定し、ぼかす角度を決定することができる。
【００４２】
また、距離決定部１０７は、位置情報データベース２０５を参照し、投稿情報の投稿者の都道府県と、閲覧端末の都道府県との間の距離を取得する。距離決定部１０７は、この距離に応じて、ぼかす範囲を決定する。距離の数値が大きいほどぼかされる範囲を大きくしてもよい。携帯電話端末の表示画面サイズに応じて、距離に対応するぼかし範囲が設定される。都道府県が同じ場合は、ぼかす範囲は0とし、背景色をぼかさない。なお、都道府県の代わりに市町村又は任意に決められたエリアを用いる場合にも、距離決定部１０７は、同様にして距離を決定し、ぼかす範囲を決定することができる。更に、都道府県の代わりに緯度経度自体を用いる場合には、距離決定部１０７は、投稿者の緯度経度と閲覧端末との間の距離を決定し、ぼかす範囲を決定することができる。
【００４３】
ステップＳ２１３において、表示制御部１０９は、距離に対応するぼかし範囲の中で角度方向に色をぼかした背景色を閲覧端末に表示させる。例えば、表示制御部１０９は、投稿情報と共に、背景色をぼかすための情報を閲覧端末に送信する。
【００４４】
ステップＳ２１５において、表示制御部１０９は、背景色の上に、投稿情報を表示させる。
【００４５】
＜投稿情報表示制御装置の動作（その３）＞
投稿者の性別、年代及び位置のうち取得できないものがある場合、取得できない情報の表示を省略する場合について説明する。
【００４６】
図１０に、本発明の実施例に従って表示される投稿情報の例（その３）を示す。図１０は、東京の閲覧者が投稿者の文章を閲覧している場合の表示を示している。例えば、投稿者の属性及び位置の中で、一部の情報が取得できず、不明なものが存在する可能性がある。この場合、不明な情報については、省略して表示される。
【００４７】
例えば、投稿者「ａａａ」の性別及び年代が不明である場合、色決定部１０１は、初期設定の色（黒）を使用し、フォント決定部１０３は、初期設定のフォント（ゴシック体）を使用する。初期設定の色及びフォントは、閲覧端末のシステムで設定された色又はフォントでもよい。投稿者「ａａａ」の投稿情報は、投稿者の方向を指し示すことができる画像（例えば、矢印）と共に表示される。
【００４８】
例えば、投稿者「ｂｂｂ」の年代が不明である場合、フォント決定部１０３は、初期設定のフォント（ゴシック体）を使用する。投稿者「ｂｂｂ」の投稿情報は、「男性」を示す青で、投稿者の方向を指し示すことができる画像（例えば、矢印）と共に表示される。
【００４９】
例えば、投稿者「ｃｃｃ」の位置が不明である場合、角度決定部１０５及び距離決定部１０７は、角度及び距離を決定することができない。このため、投稿者の方向を指し示すことができる画像（例えば、矢印）は表示されない。投稿者「ｃｃｃ」の投稿情報は、「女性」を示す赤で、２０代を示すポップ体で表示される。
【００５０】
なお、図１０は、図４の表示において一部の情報を省略した場合を示しているが、図６の表示においても同様に一部の情報を省略することができる。
【００５１】
＜本発明の実施例の効果＞
本発明の実施例によれば、閲覧者に理解しやすい表示方法で、投稿情報と共に、投稿者の属性及び投稿者との位置関係を同じ画面上に表示させることが可能になる。具体的には、投稿者の属性を色やフォント等で表すことにより、限られた表示範囲においても、複数の属性を表示可能になる。さらに濃淡、ぼかしで情報を表現することにより、出現する色が増えることを防ぐ。また、色やフォントを利用するため、直感的に情報を理解することが可能になる。例えば、青は男性、赤は女性をイメージし易く、毛筆のようなフォントは年配の人をイメージし易い。
【００５２】
例えば、図４に示す表示例では、閲覧者は自分と投稿者との位置関係を矢印により直感的に知ることができる。さらに閲覧者はフォント及び文字色から投稿者の人物像を容易にイメージできる。
【００５３】
また、例えば、図６に示す表示例では、閲覧者は自分と投稿者との距離を、背景色のぼけ具合により直感的に理解することができる。さらに、年代や性別等の情報はすべて背景で表現されるため、画面が雑多にならず見やすくなる。
【００５４】
更に、例えば、図１０に示す表示例では、わからない情報がある場合は、それ以外のみ表示できる柔軟性がある。
【００５５】
説明の便宜上、本発明の実施例に係る投稿情報表示制御装置は機能的なブロック図を用いて説明しているが、本発明の実施例に係る投稿情報表示制御装置は、ハードウェア、ソフトウェア又はそれらの組み合わせで実現されてもよい。また、各機能部が必要に応じて組み合わせて使用されてもよい。また、本発明の実施例に係る投稿情報表示制御方法は処理の流れを示すフローチャートを用いて説明しているが、本発明の実施例に係る投稿情報表示制御方法は、実施例に示す順序と異なる順序で実施されてもよい。
【００５６】
以上、閲覧者に理解しやすい表示方法で、投稿情報と共に、投稿者の属性及び投稿者との位置関係を同じ画面上に表示させる手法について説明したが、本発明は、上記の実施例に限定されることなく、特許請求の範囲内において、種々の変更・応用が可能である。
【符号の説明】
【００５７】
１０１  色決定部
１０３  フォント決定部
１０５  角度決定部
１０７  距離決定部
１０９  表示制御部
２０１  投稿内容データベース
２０３  ユーザ属性データベース
２０５  位置情報データベース
【図１】
2014154099.tif 000003
【図２】
2014154099.tif 000004
【図３】
2014154099.tif 000005
【図４】
2014154099.tif 000006
【図５】
2014154099.tif 000007
【図６】
2014154099.tif 000008
【図７】
2014154099.tif 000009
【図８】
2014154099.tif 000010
【図９】
2014154099.tif 000011
【図１０】
2014154099.tif 000012